(57)【要約】【課題】スタジオ内における壁・天井の色や位置等の撮影環境によらず、画像品質の高い顔写真を容易に撮影可能にする。【解決手段】撮影システム１００は、平面チャートＰを用いて被写体照明器２２１ａ、２２１ｂ、背景照明器２２２の各発光量を調整し、立体チャートＲ１を用いて被写体照明器２２１ａ、２２１ｂ、背景照明器２２２の各発光量の発光比を調整する。【選択図】図２
2005227581.tif 000002
【特許請求の範囲】
【請求項１】
被写体を照明する照明装置と、該被写体を撮影する撮影装置とを備えた撮影システムに対し、
平面形状を有する２次元評価用被写体を用いて、前記撮影装置に対する撮影条件と前記照明装置に対する第１の照明条件とを調整する第１の調整工程と、
前記調整後の撮影条件及び第１の照明条件に基づいて立体構造を有する３次元評価用被写体を被写体位置に配置して撮影し、この３次元評価用被写体に対する撮像画像から特性値を取得し、この取得した特性値に基づいて前記照明装置に対する第２の照明条件を調整する第２の調整工程と
を含むことを特徴とする撮影システム調整方法。
【請求項２】
前記第１の調整工程では、
複数階調の色票が描かれた２次元評価用被写体を被写体位置に配置して撮影し、この２次元評価用被写体に対する撮像画像から特性値を取得し、この取得した特性値に基づいて、前記撮影条件と前記第１の照明条件とを調整することを特徴とする請求項１に記載の撮影システム調整方法。
【請求項３】
被写体を照明する照明装置と、該被写体を撮影する撮影装置とを備えた撮影システムにおいて、
平面形状を有する２次元評価用被写体を用いて、前記撮影装置に係る撮影条件と前記照明装置に対する第１の照明条件とを調整し、該調整後の撮影条件及び第１の照明条件に基づいて立体構造を有する３次元評価用被写体を前記撮影装置を用いて撮影し、この３次元評価用被写体に対する撮像画像から特性値を取得し、この取得した特性値に基づいて前記照明装置に対する第２の照明条件を調整するよう制御する制御装置を備えたことを特徴とする撮影システム。
【請求項４】
前記制御装置は、
前記撮影装置を用いて前記２次元評価用被写体を撮影し、この２次元評価用被写体に対する撮像画像から特性値を取得し、この取得した特性値に基づいて、前記撮影条件と前記第１の照明条件とを調整するよう制御することを特徴とする請求項３に記載の撮影システム。
【請求項５】
立体構造を有する３次元評価用被写体を撮影装置を用いて撮影する工程と、
前記３次元評価用被写体に対する撮像画像から該３次元評価用被写体の特徴点に対応する画像を特定する工程と、
前記特定した画像から特徴量を取得する取得工程と、
前記特徴量に基づいて前記３次元評価用被写体に対する照明量を算出する工程と
を含むことを特徴とする照明量算出方法。
【請求項６】
立体構造を有する３次元評価用被写体を撮影装置を用いて撮影し、この３次元評価用被写体に対する撮像画像から該３次元評価用被写体の特徴点に対応する画像を特定し、該特定した画像から特徴量を取得し、該特徴量に基づいて前記３次元評価用被写体に対する照明量を算出するよう制御する制御装置を備えたことを特徴とする照明量算出装置。
【請求項７】
被写体を照明する照明装置の照明量を算出するコンピュータに、
立体構造を有する３次元評価用被写体を撮影装置を用いて撮影する機能と、
前記３次元評価用被写体に対する撮像画像から該３次元評価用被写体の特徴点に対応する画像を特定する機能と、
前記特定した画像から特徴量を取得する機能と、
前記特徴量に基づいて前記３次元評価用被写体に対する照明量を算出する機能と
を実現させるための照明量算出プログラム。
【請求項８】
立体構造を有する３次元評価用被写体を撮影装置を用いて撮影して評価用の撮像画像を取得する工程と、
予めメモリに格納された前記３次元評価被写体に対する評価基準用の撮像画像を該メモリから読み出す工程と、
前記評価用撮像画像及び評価基準用撮像画像を画像表示部に並列表示する工程と、
入力された調整指示に応じて、前記表示中の評価用撮像画像のコントラスト特性を該評価用撮像画像と並列表示中の前記評価基準用撮像画像のコントラスト特性に合致させるための階調調整を行う工程と、
前記階調調整の調整結果に基づいて、前記二つのコントラスト特性を合致させるための階調調整量を取得する工程と、
前記取得された階調調整量に基づいて照明量を算出する工程と
を含むことを特徴とする照明量算出方法。
【請求項９】
立体構造を有する３次元評価用被写体を撮影装置により撮影して評価用の撮像画像を取得し、予めメモリに格納された前記３次元評価被写体に対する評価基準用の撮像画像を該メモリから読み出し、前記評価用撮像画像及び評価基準用撮像画像を画像表示部に並列表示し、入力された調整指示に応じて前記表示中の評価用撮像画像のコントラスト特性を該評価用撮像画像と並列表示中の前記評価基準用撮像画像のコントラスト特性に合致させるための階調調整を行い、前記階調調整の調整結果に基づいて、前記二つのコントラスト特性を合致させるための階調調整量を取得し、前記取得した階調調整量に基づいて照明量を算出するよう制御する制御装置を備えたことを特徴とする照明量算出装置。
【請求項１０】
被写体を照明する照明装置の照明量を算出するコンピュータに、
立体構造を有する３次元評価用被写体を撮影装置を用いて撮影して評価用の撮像画像を取得する機能と、
予めメモリに格納された前記３次元評価被写体に対する評価基準用の撮像画像を該メモリから読み出す機能と、
前記評価用撮像画像及び評価基準用撮像画像を画像表示部に並列表示する機能と、
入力された調整指示に応じて、前記表示中の評価用撮像画像のコントラスト特性を、該評価用撮像画像と並列表示中の前記評価基準用撮像画像のコントラスト特性に合致させるための階調調整を行う機能と、
前記階調調整の調整結果に基づいて、前記二つのコントラスト特性を合致させるための階調調整量を取得する機能と、
前記取得された階調調整量に基づいて照明量を算出する機能と
を実現させるための照明量算出プログラム。
【請求項１１】
被写体に対する照明量を評価するために用いられ、測定位置を示すマーカが表面に予め設けられた立体構造を有する３次元評価用被写体であって、
前記マーカの位置や数を示す情報、又は、前記立体構造に対応した凹点、凸点、稜線のうち少なくとも一つを含む構造特徴点の位置や数を示す情報が、予め記録媒体に記録されていることを特徴とする評価用被写体。
【発明の詳細な説明】
【技術分野】
【０００１】
本発明は、被写体を撮影する撮影システムと、該撮影システムを調整するための撮影システム調整方法と、被写体に対する照明量を算出するための照明量算出方法、照明量算出装置及び照明量算出プログラムと、前記撮影システムを調整する際に用いるチャート等の評価用被写体とに関する。
【背景技術】
【０００２】
従来より、個人認証を行う目的で、パスポートや運転免許証等の各種身分証明書の券面に顔写真を添付することが一般に行われている。特に、パスポート等、個人認証の重要度が高い用途においては、身分証明書をＩＣカード化し、券面の顔写真をデジタルデータとしてメモリに記録し、情報保護して偽造防止を図る試みもなされている。
身分証明書に用いられる顔写真の画像品質は、個人認証を行うためにも十分高いものでなければならない。このような高い画像品質を得るため、例えば、特許文献１に記載の発明のような、予め撮影した評価用被写体（一般的には平面形状の被写体）に基づいて画像再現特性を求め、当該再現特性に基づいてプリント出力する技術や、特許文献２に記載の発明のような、写真スタジオ内でプロカメラマンによる照明技術（照明機器の配置）が容易に再現可能な技術等が考案されている。
以下、上記平面形状の評価用被写体を平面チャートという。また、平面形状の評価用被写体、後述する立体構造を有する評価用被写体のいずれに対しても、単に評価用被写体と総称する場合がある。
【０００３】
また、ＩＣＣ（International Color Consortium）プロファイルに基づいて、デジタルカメラやプリンタ等の機器特性に応じた色調補正を行う技術も考案されている。
【特許文献１】特開平９―１３０８２７号公報
【特許文献２】特開平７―３６０８６号公報
【発明の開示】
【発明が解決しようとする課題】
【０００４】
ところで、被写体となる人物は３次元的な立体構造を有している。特許文献１に示される手法によれば、平面チャート上の色調をほぼ再現可能となるが、前述人物のような立体構造を有する被写体の場合、被写体の照明如何によって変化する陰影の描写や、それによってもたらされる立体感等の、写真表現にとって重要な要素がコントロールできない問題がある。これに対し、特許文献２に示される手法によれば、プロが作り上げた陰影の描写をそのまま再現可能であるとしている。しかしながら、前述のような顔写真の撮影は、様々な場所で撮影されるものであり、その場の環境には、壁の色、天井の高さ、撮影スペースの広さ等、調整しがたいものが多く、プロのセッティングがそのまま再現できる場合が非常に少ないという問題があった。例えばプロの設定と比較して、壁の色が白かったり、撮影スペースが狭かったりした場合、実際の撮影結果は、照明光の散乱や回り込みが多くなることによって、陰影、立体感の乏しい写真が得られてしまい、所望の顔画像品質が得られないことがあった。
【０００５】
本発明の課題は、スタジオ内における壁・天井の色や位置等の撮影環境によらず、画像品質の高い顔写真が容易に撮影できる撮影システム、撮影システム調整法を提供することである。
【課題を解決するための手段】
【０００６】
上記課題を解決するため、請求項１記載の発明は、
被写体を照明する照明装置と、該被写体を撮影する撮影装置とを備えた撮影システムに対し、
平面形状を有する２次元評価用被写体を用いて、前記撮影装置に対する撮影条件と前記照明装置に対する第１の照明条件とを調整する第１の調整工程と、
前記調整後の撮影条件及び第１の照明条件に基づいて立体構造を有する３次元評価用被写体を被写体位置に配置して撮影し、この３次元評価用被写体に対する撮像画像から特性値を取得し、この取得した特性値に基づいて前記照明装置に対する第２の照明条件を調整する第２の調整工程と、を含むことを特徴とする。以下、立体構造を有する３次元評価用被写体を立体チャートという。
【０００７】
更に、請求項２に記載の発明のように、請求項１に記載の発明において、
前記第１の調整工程では、
複数階調の色票が描かれた２次元評価用被写体を被写体位置に配置して撮影し、この２次元評価用被写体に対する撮像画像から特性値を取得し、この取得した特性値に基づいて、前記撮影条件と前記第１の照明条件とを調整するのが好ましい。
【０００８】
また、上記課題を解決するため、請求項３に記載の発明は、
被写体を照明する照明装置と、該被写体を撮影する撮影装置とを備えた撮影システムにおいて、
平面形状を有する２次元評価用被写体を用いて、前記撮影装置に係る撮影条件と前記照明装置に対する第１の照明条件とを調整し、該調整後の撮影条件及び第１の照明条件に基づいて立体構造を有する３次元評価用被写体を前記撮影装置を用いて撮影し、この３次元評価用被写体に対する撮像画像から特性値を取得し、この取得した特性値に基づいて前記照明装置に対する第２の照明条件を調整するよう制御する制御装置を備えたことを特徴とする。
【０００９】
更に、請求項４に記載の発明のように、請求項３に記載の発明において、
前記制御装置は、
前記撮影装置を用いて前記２次元評価用被写体を撮影し、この２次元評価用被写体に対する撮像画像から特性値を取得し、この取得した特性値に基づいて、前記撮影条件と前記第１の照明条件とを調整するよう制御するのか好ましい。
【００１０】
また、上記課題を解決するため、請求項５に記載の発明は、
立体構造を有する３次元評価用被写体を撮影装置を用いて撮影する工程と、
前記３次元評価用被写体に対する撮像画像から該３次元評価用被写体の特徴点に対応する画像を特定する工程と、
前記特定した画像から特徴量を取得する取得工程と、
前記特徴量に基づいて前記３次元評価用被写体に対する照明量を算出する工程と
を含むことを特徴とする。
【００１１】
また、上記課題を解決するため、請求項６に記載の発明は、
立体構造を有する３次元評価用被写体を撮影装置を用いて撮影し、この３次元評価用被写体に対する撮像画像から該３次元評価用被写体の特徴点に対応する画像を特定し、該特定した画像から特徴量を取得し、該特徴量に基づいて前記３次元評価用被写体に対する照明量を算出するよう制御する制御装置を備えたことを特徴とする。
【００１２】
また、上記課題を解決するため、請求項７に記載の発明は、
被写体を照明する照明装置の照明量を算出するコンピュータに、
立体構造を有する３次元評価用被写体を撮影装置を用いて撮影する機能と、
前記３次元評価用被写体に対する撮像画像から該３次元評価用被写体の特徴点に対応する画像を特定する機能と、
前記特定した画像から特徴量を取得する機能と、
前記特徴量に基づいて前記３次元評価用被写体に対する照明量を算出する機能と
を実現させる。
【００１３】
また、上記課題を解決するため、請求項８に記載の発明は、
立体構造を有する３次元評価用被写体を撮影装置を用いて撮影して評価用の撮像画像を取得する工程と、
予めメモリに格納された前記３次元評価被写体に対する評価基準用の撮像画像を該メモリから読み出す工程と、
前記評価用撮像画像及び評価基準用撮像画像を画像表示部に並列表示する工程と、
入力された調整指示に応じて、前記表示中の評価用撮像画像のコントラスト特性を該評価用撮像画像と並列表示中の前記評価基準用撮像画像のコントラスト特性に合致させるための階調調整を行う工程と、
前記階調調整の調整結果に基づいて、前記二つのコントラスト特性を合致させるための階調調整量を取得する工程と、
前記取得された階調調整量に基づいて照明量を算出する工程と
を含むことを特徴とする。
【００１４】
また、上記課題を解決するため、請求項９に記載の発明は、
立体構造を有する３次元評価用被写体を撮影装置により撮影して評価用の撮像画像を取得し、予めメモリに格納された前記３次元評価被写体に対する評価基準用の撮像画像を該メモリから読み出し、前記評価用撮像画像及び評価基準用撮像画像を画像表示部に並列表示し、入力された調整指示に応じて前記表示中の評価用撮像画像のコントラスト特性を該評価用撮像画像と並列表示中の前記評価基準用撮像画像のコントラスト特性に合致させるための階調調整を行い、前記階調調整の調整結果に基づいて、前記二つのコントラスト特性を合致させるための階調調整量を取得し、前記取得した階調調整量に基づいて照明量を算出するよう制御する制御装置を備えたことを特徴とする。
【００１５】
また、上記課題を解決するため、請求項１０に記載の発明は、
被写体を照明する照明装置の照明量を算出するコンピュータに、
立体構造を有する３次元評価用被写体を撮影装置を用いて撮影して評価用の撮像画像を取得する機能と、
予めメモリに格納された前記３次元評価被写体に対する評価基準用の撮像画像を該メモリから読み出す機能と、
前記評価用撮像画像及び評価基準用撮像画像を画像表示部に並列表示する機能と、
入力された調整指示に応じて、前記表示中の評価用撮像画像のコントラスト特性を、該評価用撮像画像と並列表示中の前記評価基準用撮像画像のコントラスト特性に合致させるための階調調整を行う機能と、
前記階調調整の調整結果に基づいて、前記二つのコントラスト特性を合致させるための階調調整量を取得する機能と、
前記取得された階調調整量に基づいて照明量を算出する機能と
を実現させる。
【００１６】
また、上記課題を解決するため、請求項１１に記載の発明は、
被写体に対する照明量を評価するために用いられ、測定位置を示すマーカが表面に予め設けられた立体構造を有する３次元評価用被写体であって、
前記マーカの位置や数を示す情報、又は、前記立体構造に対応した凹点、凸点、稜線のうち少なくとも一つを含む構造特徴点の位置や数を示す情報が、予め記録媒体に記録されていることを特徴とする。
【発明の効果】
【００１７】
本発明によれば、２次元評価用被写体と３次元評価用被写体とを用いて、照明装置の照明量を詳細に調整できるので、色調、コントラストや、３次元被写体に生じる陰影等が詳細に調整可能となり、スタジオ内における壁・天井の色や位置等の撮影環境によらず、画像品質の高い顔写真が容易に撮影できる。
【発明を実施するための最良の形態】
【００１８】
以下、図面を参照して、本発明の実施形態について説明する。
図１に、本発明の実施形態に係る撮影システム１００の構成を示す。撮影システム１００は、ＦＢ（Flat Bed)スキャナ１１、フィルムスキャナ１２、メモリドライバ１３、画像入力部１４、撮影部２０、画像表示部３０、指示入力部４０、画像処理部５０、画像出力部６０等を備える。
【００１９】
ＦＢスキャナ１１は、写真プリント７１に描かれた画像を読み取り、フィルムスキャナ１２は、現像済み写真フィルム７２の駒画像を読み取る。また、メモリドライバ１３は、ＭＯ（Magnet-Optic）やＣＤ−Ｒ（CD Recordable）等の各種記録メディア７３に記録された画像を読み出す。
【００２０】
画像入力部１４は、ＦＢスキャナ１１、フィルムスキャナ１２、メモリドライバ１３から入力された画像を画像処理部５０に出力する。また、画像入力部１４は、撮影部２０により撮影された画像を画像処理部５０に出力する。
【００２１】
撮影部２０は、撮影制御部２１、照明部２２、ＤＳＣ（デジタルスチルカメラ）２３、通信回線２４、背景部材２５、撮影操作部２６等により構成される。撮影部２０は、例えば、写真スタジオや証明写真ボックス等に設けられる。
【００２２】
撮影制御部２１は、ＣＰＵ（Central Processing Unit）、ＲＯＭ（Read Only Memory）、ＲＡＭ（Random Access Memory）等を備えて構成される。このＣＰＵがＲＯＭに格納された各種プログラムを実行することにより、撮影部２０が撮影制御部２１により統括的に制御される。特に、撮影制御部２１は、画像処理部５０から画像入力部１４を介して入力される各種指示や指示入力部４０を介して入力される各種指示に応じて照明部２２やＤＳＣ２３を制御し、被写体αを照明する被写体照明器２２１ａ、２２１ｂや、背景部材２５を照明する背景照明器２２２の発光量等を各々調整したりＤＳＣ２３の撮影動作を制御する。ここで、撮影制御部２１は、通信回線２４（有線或いは無線）を介してＤＳＣ２３に対する制御を行う。
【００２３】
ＤＳＣ２３は、フォーカシングレンズ、ズームレンズ等を含む撮像用の光学レンズユニットや、ＣＣＤ（Charge Coupled Device ）等の撮像素子を含む光電変換ユニット等（何れも図示略。）を備え、光学レンズユニットを介して入射した撮像光を、光電変換ユニットにより光電変換して画像信号として出力する。
【００２４】
背景部材２５は、無地のスクリーンやパネル等により構成され、撮影操作部２６は、レリーズスイッチ等であり、押下信号を撮影制御部２１に出力する。
【００２５】
ここで、図２を参照して、撮影部２０が有する上記各構成部の設置態様について説明する。図２は、撮影部２０の上記各構成部の配置を上方から下方に向けて見た図である。図２に示すように、被写体α前方には被写体照明器２２１ａ、２２１ｂが配置され、被写体αの背後には背景部材２５が配置されている。また、背景部材２５前方には背景照明器２２２が配置されている。
【００２６】
再び、図１に戻って説明する。
画像表示部３０は、ＣＲＴ（Cathode Ray Tube）やＬＣＤ（Liquid Crystal Display）等の表示装置を備え、画像処理部５０から入力される各種画像をこの表示装置の表示画面に表示する。
【００２７】
指示入力部４０は、マウス、タッチパネル等のポインティングデバイスやキーボード等を備え、入力された各種指示信号を画像処理部５０に（或いは、画像処理部５０を介して画像入力部１４、撮影制御部２１に）出力する。
【００２８】
画像処理部５０は、ＣＰＵやＲＯＭ、ＲＡＭを備えた制御装置であり、前処理部５１、領域抽出処理部５２、領域抽出結果評価部５３、評価結果反映部５４を制御して画像処理を行う。なお、前処理部５１、領域抽出処理部５２、領域抽出結果評価部５３、評価結果反映部５４は、各々独立したハードウェアであるとしてもよいし、単一のハードウェアに組み込まれたものであってもよいし、更に、単一のＣＰＵが実行するプログラムによって実現される複数の機能であるとしてもよい。
また、画像処理部５０は、図示しない各種データ（画像を含む。）を格納し、指示入力部４０を介して入力された各種指示や所定シーケンスにより、当該各種データの読み出し／書き込みが自在に行える画像記録部を備える。
【００２９】
前処理部５１は、画像入力部１４から入力される画像を、後段で行われる信号処理に応じたデータ形式に変換する。
【００３０】
領域抽出処理部５２は、前処理の施された画像から特徴点周辺の閉領域を抽出する。ここで、特徴点とは、撮影された評価対象の平面或いは立体チャート画像のうち当該チャートに予め設けられたマーカに対応する個所や、画像表示部３０に表示中の評価対象の平面或いは立体チャート画像に対しタッチパネルを介してユーザにより指定された個所等である。
【００３１】
領域抽出結果評価部５３は、上記抽出された閉領域から特徴点を抽出し、評価結果反映部５４は、この抽出された特徴点に基づいて、被写体照明器２２１ａ、２２１ｂ、背景照明器２２２や、ＤＳＣ２３に対する各種調整量（発光量や撮影条件等。）を算出し、撮影制御部２１に出力する。
【００３２】
画像出力部６０は、画像出力制御部６１、画像プリント部６２、メディア書き込み部６３等を備える。
【００３３】
画像出力制御部６１は、画像処理部５０から入力される画像を画像プリント部６２やメディア書き込み部６３に出力する。
【００３４】
画像プリント部６２は、画像出力制御部６１から入力された画像に基づいて感光材料に露光し、当該露光された感光材料を現像処理して乾燥し、写真プリント８１を作成する。メディア書き込み部６３は、図示しない記録メディアスロット等を備え、画像出力制御部６１から入力された画像をＭＯ、ＣＤ−Ｒ等の各種記録メディア８２に書き込む。
【００３５】
なお、画像入力部１４、撮影制御部２１、画像処理部５０は、各々独立したハードウェアであってもよいし、単一のハードウェアに組み込まれたものであってもよいし、更に、単一のＣＰＵが実行するプログラムによって実現される複数の機能であるとしてもよい。
【００３６】
次に、図３〜図５のフローチャートに基づいて、本実施の形態における調整処理について説明する。以下で説明する調整処理は、画像処理部５０のＣＰＵがプログラム（照明量算出プログラム）に基づいて前処理部５１、領域抽出処理部５２、領域抽出結果評価部５３、評価結果反映部５４を制御することにより行われる。この調整処理は、本撮影の前に行われ、該本撮影に備えた撮影システム１００に対する調整である。
【００３７】
ここでは、本調整処理の際に用いられる評価対象となる平面チャート、立体チャートの各々を、図６、図７（ａ）にそれぞれ示す平面チャートＰ、立体チャートＲ１とする。
【００３８】
ここで、平面チャートＰには、白パッチＰ１、ライトグレーパッチＰ２、中間グレーパッチＰ３、ダークグレーパッチＰ４、黒パッチＰ５と、グラデーションや肌色等の有彩色を配置したパッチＰ６が描かれている。また、立体チャートＲ１は、３次元球体が円柱上に載置された形状を有し、所定個所にマーカＭが複数設けられ、特徴点として用いられる。
【００３９】
なお、立体チャートＲ１の識別情報（名称等）とマーカＭの位置情報とが組み合わされて、画像処理部５０の画像記録部等のメモリに予め格納できるのが好ましい。これにより、立体チャートを交換するような場合であっても、システムの交換や大掛かりな設定変更等を行うことなく、交換後の立体チャートの識別情報を入力するだけで、当該立体チャートのマーカＭの位置情報が容易に利用可能となる。
【００４０】
また、立体チャートＲ１に替えて、図７（ｂ）に示す立体チャートＲ２を用いてもよい。立体チャートＲ２は、石膏、粘土等の彫刻であり、例えば、有名彫刻のレプリカ等である。また、立体チャートＲ２は、立体チャートＲ１のようなマーカが複数設けられて特徴点として用いられるようであってもよいし、マーカの代わりに、鼻、顎、目等の凹点、凸点、稜線等が特徴点として用いられるようであってもよい。立体チャートＲ２に対し、コンピュータ読み取り可能な立体チャートＲ２に関する画像や構造を表す情報（鼻、顎、目等の凹点、凸点、稜線等の相対位置等。）が記録された記録媒体（ＣＤ等）が付属して用いられる場合には、このような立体チャートＲ２がより利用しやすいものとなる。また、立体チャートＲ２が有名彫刻のレプリカである場合には、このような立体チャートＲ２は世界各地で入手可能なため、立体チャートＲ２に関する上記情報（レプリカの名称に関連付けられている。）があれば、撮影システム１００の運用が更に容易となる。
【００４１】
また、立体チャートＲ１、Ｒ２の表面は、目的に応じて調整され、特に、人物の肌に近い拡散面とし、白又はグレーの色調とするのが好ましい。
【００４２】
図３に戻って説明する。
まず、被写体照明器２２１ａ、２２１ｂ、背景照明器２２２に対する照明条件（発光量、発光比等。）や、ＤＳＣ２３の露出条件等の撮影条件を、撮影制御部２１に送信し、撮影制御部２１は、当該照明条件、撮影条件を、照明部２２、ＤＳＣ２３に各々設定する（ステップＳ１、Ｓ２）。ここで設定される照明条件や撮影条件は、指示入力部４０を介してユーザによりその都度入力されるものであってもよいし、デフォルトで予め設定され、撮影制御部２１若しくは画像処理部５０のＲＯＭ、ＲＡＭや画像記録部に格納されたものであってもよい。
【００４３】
次に、被写体αの位置に設置された評価対象の平面チャートＰをＤＳＣ２３により撮影し（ステップＳ３）、当該撮影した評価対象の平面チャートＰの画像から、中間グレーパッチＰ３の画像情報（階調値）を取得する（ステップＳ４）。
【００４４】
そして、上記取得した中間グレーパッチＰ３の階調値が、中間グレーパッチＰ３に係る基準階調値となるような（または、基準階調値を中心とした所定範囲に収まるような）明るさの調整量（すなわち、被写体照明器２２１ａ、２２１ｂ、背景照明器２２２の発光量の調整量。）を算出する（ステップＳ５）。
【００４５】
上記算出した明るさ調整量が、所定基準値から外れているか否か（すなわち適正であるか否か）を判定し（ステップＳ６）、当該基準値から外れている場合には（ステップＳ６；Ｎｏ）、明るさ調整量が適切ではないとしてステップＳ１、Ｓ２に移行して照明条件、撮影条件を再設定する。この場合、ユーザに対し照明条件や撮影条件の再設定の入力要求を行うようにしてもよいし、上記デフォルトの照明条件、撮影条件を所定ステップ毎に自動的にシフトさせるようにしてもよい（以下、同様。）。
【００４６】
ステップＳ６の段階で、上記明るさ調整量が上記所定基準値から外れていない場合（ステップＳ６；Ｙｅｓ）、明るさ調整量が適切であるとしてステップＳ７に移行する。
【００４７】
そして、ステップＳ７では、上記撮影された評価対象の平面チャートＰの画像から、ライトグレーパッチＰ２、ダークグレーパッチＰ４の各画像情報（階調値）を各々取得する（ステップＳ７）。
【００４８】
そして、上記取得したライトグレーパッチＰ２、ダークグレーパッチＰ４の階調値が、ライトグレーパッチＰ２、ダークグレーパッチＰ４に係る各基準階調値となるような（または、基準階調値を中心とした所定範囲に収まるような）コントラストの調整量を算出する（ステップＳ８）。
【００４９】
上記算出したコントラスト調整量が、所定基準値から外れているか否か（すなわち適正であるか否か）を判定し（ステップＳ９）、当該基準値から外れている場合には（ステップＳ９；Ｎｏ）、画像のコントラストが適切でないとしてステップＳ２に戻り、撮影条件の再設定を行い、その後、ステップＳ３以降の処理を繰り返す。この際に行う撮影条件の再設定としては、ＤＳＣ２３で取得された光電変換信号の信号変換特性や、Ａ／Ｄ変換後の元画像信号に施すトーンカーブの設定が含まれ、画像の明暗表現の程度がコントロールされる。
【００５０】
ステップＳ９の段階で、上記コントラスト調整量が上記所定基準値から外れていない場合には（ステップＳ９；Ｙｅｓ）、画像コントラストは適切であるとしてステップＳ１０に移行する。
【００５１】
そして、ステップＳ１０では、被写体αの位置に設置された評価対象の立体チャートＲ１をＤＳＣ２３により撮影し（ステップＳ１０）、当該撮影した評価対象の立体チャートＲ１の画像から、立体コントラスト情報を取得する（ステップＳ１１）。この段階では、前述のように、画像の、明暗表現の程度（画像コントラスト）に付いてはすでに所定範囲内にコントロールされているので、前記立体コントラスト情報は、立体である被写体に撮影時の照明を照射したときに生じる陰影の程度を指し示す情報となっている。以下、この陰影の程度（強弱）を陰影コントラストと呼ぶ。この立体コントラスト情報の取得法については、図４（或いは図５）に示すフローチャートに基づいて後に説明する。
【００５２】
上記取得した立体コントラスト情報が所定基準値から外れているか否か（すなわち適正であるか否か）を判定し（ステップＳ１２）、当該基準値から外れている場合には（ステップＳ１２；Ｎｏ）、陰影コントラストが適切でないとしてステップＳ１に移行して照明条件の再設定を行い、その後、ステップＳ３以降の処理を繰り返す。この際に実施される照明条件の再設定としては、図２の形態であれば、被写体照明器２２１ａ、２２１ｂの光量を調節して行う。例えば、立体コントラスト情報が当該基準値よりも高い方向に、即ち、陰影コントラストが高い方向に外れている場合、被写体照明器２２１ａ、２２１ｂの内、光量の大きい一方の光量を抑え、その分、もう一方の光量を増やすことによって被写体照明のバランスを均一な方向に調整して陰影コントラストを抑える調節を行う。より専門的な肖像写真スタジオでは、図示されている被写体照明器の配置とは異なる配置を用いる場合もよくある。これは、例えば証明書に用いる顔写真よりも、肖像写真としての顔写真の方がより強い陰影コントラストを好む場合が多いからで、一方の照明器（例えば２２１ａ）を被写体のほぼ正面に、もう一方（２２１ｂ）を被写体側面に配置することがある。この場合、２２１ａの明るさを強める方向の調整は、陰影コントラストを抑える調整となり、２２１ｂを強める方向の調整は、陰影コントラストを強める調整となる。
【００５３】
そして、ステップＳ１２の段階で、上記立体コントラスト情報が上記基準値から外れていない場合（ステップＳ１２；Ｙｅｓ）、陰影コントラスは適切であるとして本調整処理を終了する。
【００５４】
ここで、上記ライトグレーパッチＰ２、中間グレーパッチＰ３、ダークグレーパッチＰ４に係る各基準階調値や、上記明るさ調整量、コントラスト調整量、立体コントラスト情報の各々に対する各基準値は、指示入力部４０を介してユーザによりその都度入力されるものであってもよいし、デフォルトで予め設定され、撮影制御部２１若しくは画像処理部５０のＲＯＭ、ＲＡＭや画像記録部に格納されたものであってもよい。
【００５５】
次に、図４に基づいて、上記ステップＳ１１の段階で行われる立体コントラスト情報の取得法について説明する。
【００５６】
まず、撮影された立体チャートＲ１の画像から、マーカＭを抽出し（ステップＳ１１１）、当該抽出したマーカＭ近傍の画像領域の画像信号値（複数画素の統計的代表値）を算出する（ステップＳ１１２）。この際、前述のように、立体チャートの名称に対応付けられた、マーカＭの位置情報が存在し、マーカＭの抽出は、例えば、当該位置情報に基づいて行われるが、更に、当該マーカＭの近傍領域の定義についても、立体チャートの識別情報と関連付けされ、保持されていることが好ましい。更には、上述のようにして求められた画像信号値から、後述する立体コントラスト情報を求める際の手法についても、立体チャートの識別情報と関連付けされ、保持されていてもよい。
【００５７】
そして、複数のマーカＭに対し、上記画像信号値を算出し、当該算出した複数の画像信号値を、基準画像信号値と比較して、例えば最大信号値と最小信号値の格差或いは分散値や標準偏差等のばらつき程度を算出し、当該算出したばらつきを示す情報を立体コントラスト情報として取得する（ステップＳ１１３）。更には、前述のように、立体コントラスト情報を求める際の手法について、立体チャートと関連づけられた手法が存在する場合は、この手法を用いてもよい。ここで、上記基準画像信号値とは、好適な立体コントラストを有する画像信号値であり、指示入力部４０を介してユーザによりその都度入力されるものであってもよいし、撮影制御部２１若しくは画像処理部５０のＲＯＭ、ＲＡＭや画像記録部に予め格納されたものであってもよい。
【００５８】
なお、立体コントラスト情報の取得法としては、図４のフローチャートに替えて、図５のフローチャートに示すような方法を用いてもよい。以下、図５のフローチャートの説明をする。
【００５９】
まず、撮影された評価対象の立体チャートＲ１の画像と、この立体チャートＲ１と同一の（又は同一構造を有する）基準立体チャート（図示略。）の画像とを、画像表示部３０の表示画面に並列して表示する（ステップＳ１１１ａ）。ここで、上記基準立体チャートの画像は、好適な立体コントラストを有する画像であり、予め画像処理部５０の画像記憶部に格納されているものとする。
【００６０】
そして、指示入力部４０を介してコントラスト調整量が入力される（ステップＳ１１２ａ）。ここで、当該入力されたコントラスト調整量は、評価対象の立体チャートＲ１の画像のコントラストが、基準立体チャートの画像のコントラスト（或いはそのコントラストの近傍）となるように、ユーザにより指示入力部４０を介して設定入力されたものである。ユーザによる設定入力は、画像処理部５０において、設定入力されたコントラスト調整量に基づいた、立体チャートの画像の明暗コントラスト変換処理を行い、画像表示部３０に表示し、これをユーサが観察して再調整することにより実施される。上記コントラスト変換処理は、例えば、コントラスト調整量に対応して予め設定された、コントラスト調整用のトーンカーブを用いて画像の階調変換を行うものである。この場合、画像処理部５０は、当該設定入力されたコントラスト調整量に基づいて、画像表示部３０に現在表示中の評価対象の立体チャートＲ１の画像のコントラストを変更して表示できるものとする。
【００６１】
そして、ステップＳ１１２ａで入力されたコントラスト調整量を立体コントラスト情報として用いて（ステップＳ１１３ａ）、図３記載の次シーケンスに移行し、当該立体コントラスト情報に基づいた照明条件調整の要否判定、要となった場合の照明条件の調節を行う。この場合、前述のコントラスト調整量に対応した、被写体照明の調整量を予め求めておき、テーブルとして用意しておけば、新しい撮影環境の調整が一度ででき、好ましい。
【００６２】
以上説明したように、撮影システム１００は、平面チャートＰを用いて被写体照明器２２１ａ、２２１ｂ、背景照明器２２２の各発光量と画像コントラストを調整し、立体チャートＲ１を用いて被写体照明器２２１ａ、２２１ｂ、背景照明器２２２の各発光量の発光比を調整して、陰影コントラストを調整する。
【００６３】
また、平面チャートＰを用いて画像コントラストを詳細に調整し、立体チャートＲ１やＲ２を用いて立体被写体における陰影描写の詳細な調整ができるので、スタジオ内における壁・天井の色や位置等の撮影環境によらず、画像品質の高い顔写真が容易に撮影できる。
【００６４】
なお、本実施の形態における記述は、本発明に係る撮影システム調整方法、照明量算出方法、撮影システム、照明量算出装置、照明量算出プログラム及び評価用被写体の一例を示すものであり、これに限定されるものではない。本実施の形態における撮影システム１００の細部構成および詳細動作に関しては、本発明の趣旨を逸脱しない範囲で適宜変更可能である。
【図面の簡単な説明】
【００６５】
【図１】本発明を適用した撮影システムの構成を示すブロック図である。
【図２】図１に示す撮影部の構成を示すブロック図である。
【図３】本発明を適用した調整処理を説明するフローチャートである。
【図４】図３に示す立体コントラスト情報を取得するための処理内容を説明するフローチャートである。
【図５】図３に示す立体コントラスト情報を取得するための他の処理内容を説明するフローチャートである
【図６】平面パッチの一例を示す図である。
【図７】（ａ）、（ｂ）は、立体チャートの一例を示す図である。
【符号の説明】
【００６６】
１００  撮影システム
１１  ＦＢスキャナ
１２  フィルムスキャナ
１３  メモリドライバ
１４  画像入力部
２０  撮影部
２１  撮影制御部
２２  照明部
２２１ａ、２２１ｂ  被写体照明器
２２２  背景照明器
２３  ＤＳＣ
２４  通信回線
２５  背景部材
２６  撮影操作部
３０  画像表示部
４０  指示入力部
５０  画像処理部
５１  前処理部
５２  領域抽出処理部
５３  領域抽出結果評価部
５４  評価結果反映部
６０  画像出力部
６１  画像出力制御部
６２  画像プリント部
６３  メディア書き込み部
【図１】
2005227581.tif 000003
【図２】
2005227581.tif 000004
【図３】
2005227581.tif 000005
【図４】
2005227581.tif 000006
【図５】
2005227581.tif 000007
【図６】
2005227581.tif 000008
【図７】
2005227581.tif 000009